(57)【要約】      （修正有）【課題】斬新な印象を与える刺繍を可能とする刺繍糸及びその刺繍糸を用いた布製品を提供する。【解決手段】色の異なる３本の糸１２ａ〜１２ｃが撚られて、刺繍糸１０が形成されている。その刺繍糸１０が使用されて、タオル・ハンカチ等の布製身の回り品又は服飾等の布製品に対して刺繍が行われる。【選択図】図１
0003187741.tif 000002
【実用新案登録請求の範囲】
【請求項１】
色の異なる３本以上の糸が撚られて形成された刺繍糸。
【請求項２】
色の異なる４本以上の糸が撚られて形成された刺繍糸。
【請求項３】
請求項１に記載の刺繍糸によって刺繍された、タオル・ハンカチ等の布製身の回り品又は被服等の布製品。
【請求項４】
請求項２に記載の刺繍糸によって刺繍された、タオル・ハンカチ等の布製身の回り品又は服飾等の布製品。
【考案の詳細な説明】
【技術分野】
【０００１】
本考案は、刺繍糸及びその刺繍糸を用いた布製品に関するものである。
【背景技術】
【０００２】
タオル・ハンカチ等の布製身の回り品や服飾等において、その布地に対して、装飾として、刺繍がされることがある。
刺繍には種々の模様があり、各々、独特の美しさを有している。
【０００３】
上記の背景の下、本考案者は、より斬新な印象を看者に与えることができる刺繍を追究していくうちに、刺繍をするための糸に着目することとした。刺繍糸に工夫を凝らすことによって、模様とは別の角度から、看者に深い印象を与える刺繍を施すことができるようになることに気づいたのである。
【０００４】
なお、本考案に関連する先行技術として、特許文献１に記載されているものがある。
【先行技術文献】
【特許文献】
【０００５】
【特許文献１】登録実用新案第３０２５０９６号公報
【考案の概要】
【考案が解決しようとする課題】
【０００６】
本考案は、刺繍をすることによって斬新な印象を与えることができる刺繍糸、及び、それを用いることによって斬新な印象を与えることができる布製品を提供することを課題とする。
【課題を解決するための手段】
【０００７】
この課題を解決するために、請求項１に係る考案は、色の異なる３本以上の糸が撚られて形成された刺繍糸である。
【０００８】
「色が異なる」とは、色の３要素である色相，明度，彩度のうちのいずれか１つでも異なることをいう。このことは以下同様である。
【０００９】
この考案の刺繍糸では、布製品に対して刺繍された際に、色の異なる３本以上の糸のうちおもて側に位置する糸が看者に視認されるところ、どの位置においていずれの糸がおもて側に現れるか不明である。
また、異なる色の糸が近接しておもて側に現れることによって、ある程度以上離れた距離においては、それらの色が混ざったように視認される。
こうして、この刺繍糸を使用することによって、看者に対して斬新な印象を与える刺繍を施すことが可能となる。
【００１０】
請求項２に係る考案は、色の異なる４本以上の糸が撚られて形成された刺繍糸である。
【００１１】
この考案の刺繍糸では、請求項１に係る考案の刺繍糸と同様の作用効果が得られる。
特に、この考案の刺繍糸においては、色の異なる４本以上の糸が撚られて形成されているため、色の異なる３本の糸が撚られて形成されている場合よりも、看者に対して、より斬新な印象を与える刺繍を施すことが可能となる。
【００１２】
請求項３に係る考案は、請求項１に係る考案の刺繍糸によって刺繍された、タオル・ハンカチ等の布製身の回り品又は被服等の布製品である。
【００１３】
「布製身の回り品」には、タオル，ハンカチ以外に、手ぬぐい，ふろしき，ふくさ等がある。また、それよりも大概念の布製品には、布製身の回り品，被服以外に、布団カバー・枕カバー・毛布等の寝具，カーテン，テーブル掛け等がある。このことは、他の請求項に係る考案においても同様である。
【００１４】
この考案の布製品では、刺繍された刺繍糸のうち、色の異なる３本以上の糸のうちおもて側に位置する糸が看者に視認されるところ、どの位置においていずれの糸がおもて側に現れるか不明である。
また、異なる色の糸が近接しておもて側に現れることによって、ある程度以上離れた距離においては、それらの色が混ざったように視認される。
こうして、この考案の布製品では、看者に対して斬新な印象を与えることが可能である。
【００１５】
請求項４に係る考案は、請求項２に係る考案の刺繍糸によって刺繍された、タオル・ハンカチ等の布製身の回り品又は服飾等の布製品である。
【００１６】
この考案の刺繍糸では、請求項３に係る考案の布製品と同様の作用効果が得られる。
特に、この考案の刺繍糸においては、４本以上の色の異なる糸から形成された刺繍糸が刺繍されているため、３本以上の色の異なる糸から形成された刺繍糸が刺繍されている場合よりも、看者に対して、より斬新な印象を与えることが可能となる。
【図面の簡単な説明】
【００１７】
【図１】本考案の実施例１の刺繍糸の一部を示す斜視図である。手前側の部分は撚りが不十分な状態を示す。
【図２】本考案の実施例２の刺繍糸の一部を示す斜視図である。手前側の部分は撚りが不十分な状態を示す。
【図３】本考案の実施例３のフェイスタオルの一部を示す斜視図である。
【考案を実施するための形態】
【００１８】
［実施例１］
次に、本考案の実施例１について、図１に基づいて説明する。
この刺繍糸１０は、３本の糸（第１糸１２ａ〜第３糸１２ｃ）が束ねられて、撚られて形成されている。
３本の糸１２ａ〜１２ｃの色は、すべて異なっている。
例えば、第１糸１２ａの色は赤色，第２糸１２ｂの色は黄色，第３糸１２ｃの色は青色等、色相が異なる場合がある。また、第１糸１２ａの色は濃い赤色，第２糸１２ｂはやや淡い赤色（濃いピンク），第３糸１２ｃはさらに淡い赤色（淡いピンク）等、明度が異なる場合がある。
このように、色の３要素である色相，明度，彩度のうちのいずれか１つでも異なる場合は、色が異なるとして扱われる。
【００１９】
次に、刺繍糸１０の作用効果について説明する。
この刺繍糸１０が使用されてタオル，被服等の布製品に対して刺繍された際には、３本の糸１２ａ〜１２ｃのうちおもて側に位置する糸が看者に視認されるところ、どの位置においていずれの糸がおもて側に現れるか不明である。
また、異なる色の糸が近接しておもて側に現れることによって、ある程度以上離れた距離においては、それらの色が混ざったように視認される。
こうして、この刺繍糸１０を使用することによって、看者に対して斬新な印象を与える刺繍を施すことが可能となる。
【００２０】
［実施例２］
次に、本考案の実施例２について、図２に基づいて説明する。
この刺繍糸２０は、４本の糸（第１糸２２ａ〜第４糸２２ｄ）が束ねられて、撚られて形成されている。
４本の糸２２ａ〜２２ｄの色は、すべて異なっている。
例えば、第１糸２２ａの色は赤色，第２糸２２ｂの色は黄色，第３糸２２ｃの色は青色，第４糸２２ｄの糸は緑色等、色相が異なる場合がある。また、第１糸２２ａの色は濃い赤色，第２糸２２ｂはやや淡い赤色（濃いピンク），第３糸２２ｃはさらに淡い赤色（中程度の濃さのピンク），第４糸２２ｄはさらに淡い赤色（淡いピンク）等、明度が異なる場合がある。
実施例１において前述したように、色の３要素である色相，明度，彩度のうちのいずれか１つでも異なる場合は、色が異なるとして扱われる。
【００２１】
この実施例２の刺繍糸２０では、実施例１の刺繍糸１０とほぼ同様の作用効果が得られる。
それとともに、実施例１の刺繍糸１０は３本の色の異なる糸１２ａ〜１２ｃから形成されている一方で、実施例２の刺繍糸２０は、それより多い４本の色の異なる糸２２ａ〜２２ｄによって形成されているため、さらに斬新な印象を看者に与える刺繍を施すことが可能となる。
【００２２】
［実施例３］
次に、本考案の実施例３について、図３に基づいて説明する。
このハンドタオル３０は、文字通り、タオル地の布によって形成されており、正方形状をしている。
ハンドタオル３０の周縁部には、実施例１の刺繍糸１０（又は実施例２の刺繍糸２０）によって刺繍されている。刺繍の模様としては、例えば、図示のように、いわゆる「はまぐり」の模様等、種々のものが適用され得る。
【００２３】
次に、ハンドタオル３０の作用効果について説明する。
このハンドタオル３０においては、刺繍された刺繍糸１０（２０）のうち、３本の糸１２ａ〜１２ｃ（又は４本の糸２２ａ〜２２ｄ）のうちおもて側に位置する糸が看者に視認されるところ、どの位置においていずれの糸がおもて側に現れるか不明である。
また、異なる色の糸が近接しておもて側に現れることによって、ある程度以上離れた距離においては、それらの色が混ざったように視認される。
こうして、このハンドタオル３０（その刺繍）では、看者に対して斬新な印象を与えることが可能となる。
【００２４】
なお、上記のものはあくまで本考案の数例の実施例態にすぎず、当業者の知識に基づき種々の変更を加えた態様で本考案を実施できることはもちろんである。
【００２５】
例えば、刺繍糸（１０，２０）は、ハンドタオル（３０）に限らず、フェイスタオル等の他のタイプのタオル・ハンカチ等の布製身の回り品や服飾等、種々の布製品に対して刺繍され得る。
【００２６】
また、刺繍糸（１０，２０）を形成する糸（第１糸，第２糸，…）は、相互に彩度が異なっていてもよい。また、複数の糸（第１糸，第２糸，…）のうち、いずれかの組み合わせにおいては、色の３要素（色相，明度，彩度）のうちのいずれかが異なり、他のいずれかの組み合わせにおいては、色の３要素のうちの他のいずれかが異なる、という態様でもよい。
【符号の説明】
【００２７】
１０，２０  刺繍糸
１２ａ，２２ａ  第１糸
１２ｂ，２２ｂ  第２糸
１２ｃ，２２ｃ  第３糸
２２ｄ  第４糸
３０  ハンドタオル（布製品）
【図１】
0003187741.tif 000003
【図２】
0003187741.tif 000004
【図３】
0003187741.tif 000005